(57)【要約】【課題】端面がその中央部に中心を有する形状をなし且つ中空又は中実な被保持部材被保持部材を、その端面に対応する位置に配置された保持部材に保持させるにあたり、被保持部材の保持部材に対する着脱を容易に行うことができ、しかも被保持部材を保持部材にしっかりと保持させることができる保持構造を提供する。【解決手段】被保持部材５１の少なくとも一つの端面とこの端面に対応する保持部材２の対向面との間に着脱可能に形成したを、被保持部材５１の端面の中心から偏位する位置に形成した凹部５１ａと、この凹部５１ａと係り合わせるべく保持部材２の対向面に形成した突部２５ａ、２６ａとから構成した。【選択図】図６
2004268304.tif 000002
【特許請求の範囲】
【請求項１】
端面が中央部に中心を有する形状をなし且つ中空又は中実な被保持部材を、該被保持部材の端面に対応する位置に配置された保持部材によって保持する構造であって、
被保持部材の少なくとも一つの端面とこの端面に対応する保持部材の対向面との間に被保持部材を保持部材に着脱可能に保持させる係合部を形成し、該係合部を、被保持部材の前記端面の中心部から偏位する位置に形成した凹部又は突部と、この凹部又は突部と係り合わせるべく保持部材の対向面に形成した突部又は凹部とから構成してなることを特徴とする被保持部材の保持構造。
【請求項２】
被保持部材の端面に前記凹部を形成し、保持部材の対向面に前記突部を形成している請求項１記載の被保持部材の保持構造。
【請求項３】
凹部を環状をなすものとし、突部を被保持部材の端面に向かって突出し前記環状をなす凹部内に挿入される小突起状をなすものとしている請求項２記載の被保持部材の保持構造。
【請求項４】
凹部を、被保持部材の外縁形状と略相似する環状をなすものとしている請求項３記載の被保持部材の保持構造。
【請求項５】
凹部を、被保持部材の端面の中心を中心とする円環形状をなすものとしている請求項３又は４記載の被保持部材の保持構造。
【請求項６】
被保持部材の端面に複数の凹部を間欠的に形成し、保持部材に形成した突部を複数の凹部のうち何れかを選択して係り合わせるように構成している請求項２記載の被保持部材の保持構造。
【請求項７】
保持部材が、保持部材の着脱方向と略直交する方向に弾性変形可能なものである請求項１、２、３、４、５又は６記載の被保持部材の保持構造。
【請求項８】
被保持部材が、中空又は忠実な棒状をなしその延出方向における両端部に相互に反対方向を向く一対の端面を有するものであり、これら端面に対応して一対の保持部材を配置し、被保持部材の一対の端面に同一構成の前記凹部を形成するとともに、各保持部材の前記対向面にそれぞれ突部を形成している請求項１、２、３、４、５、６又は７記載の被保持部材の保持構造。
【請求項９】
保持部材を、被保持部材を収容し得る収容部を具備する収容部材における前記収容部の内部に形成している請求項１、２、３、４、５、６、７又は８記載の被保持部材の保持構造。
【発明の詳細な説明】
【０００１】
【発明の属する技術分野】
本発明は、被保持部材を保持するための構造に関するものである。
【０００２】
【従来の技術】
各種の部材を被保持部材としてこれを保持するための構造が従来より各種知られている。斯かる保持構造は、被保持部材の胴体部分の周囲を保持部材によって保持するものや、被保持部材の端面を保持部材によって保持するものが一般的である。
【０００３】
被保持部材の胴体部分を保持する保持構造としては、例えば黒板拭きにマーカーペンを保持させるようにしたものが挙げられる。すなわち、この黒板拭きを保持部材、マーカーペンを被保持部材とした場合、黒板拭きの本体部となる筐体のうち拭布体とは反対側に上方へ開口させた収容凹部を形成し、この収容凹部にマーカーペンを挿入して保持させるように構成したものが考えられている（例えば、特許文献１参照）。このものでは、収容凹部の長手方向における各部の深さをマーカーペンの長手方向の各部における半径寸法よりも深く且つ直径寸法よりも浅いものとして、さらに収容凹部の上端部には内向きに突出させた一対の係止爪を形成してある。したがって、収容凹部に収容させた状態のマーカーペンは、係止爪によって抜け止めがなされた格好で高さ方向において下端部から半径よりも大きい領域が収容凹部内に挿入された状態で嵌め込まれている。
【０００４】
一方、被保持部材の端面を保持する保持構造としては、例えば電池ケースに乾電池を保持させるようにしたものが挙げられる。すなわち、乾電池を被保持部材、この電池ケースにおいて乾電池の両端面にある電極に対応する位置に設けられた一対の端子を保持部材とした場合、これら電池ケースの端子は、乾電池の端面の各中心部に設けられている正極と負極の各端子と接触するように相互に対向するように設けられている。そして、電池ケースの端子を電池の端子に確実に接触させるために、電池ケースの端子は当該ケースの底から電池の半径よりも高い位置まで延出させてあるのが通常である。
【０００５】
【特許文献１】
実開昭６２−１２６９９７号公報（第１図）
【０００６】
【発明が解決しようとする課題】
ところが、上述の保持構造のうち、被保持部材の胴体部分を保持する構成のものは、被保持部材の胴体部分の過半部が保持部材の収容凹部等に埋まってしまうため、一旦保持部材に保持させた被保持部材の胴体部分を指で持って取り出すのは極めて困難となる場合がある。この場合、被保持部材の端面に指を掛けて引き出せば保持部材からの取り外しが容易であるかのようにも考えられるが、胴体部分の上半部で係止爪等によって被保持部材がしっかりと保持されているので、引き出す際の抵抗が大きく、特に一方の端面のみが開放されているような場合には他方の端面或いはそれと対向する保持部材の対向面に損傷が生じたり、両方の端面が開放されているような場合には係止爪等によって被保持部材の胴体部分に損傷が生じるというようなおそれがある。一方、被保持部材の端面を保持する構成のものでは、被保持部材の端面の過半部が保持部材によって覆われてしまうので、被保持部材の端面を指で持って取り出すのは極めて困難となる場合がある。この場合、被保持部材の胴体部分を指で挟めば保持部材からの取り外しが簡単であるかのようにも考えられるが、例えば複数の乾電池が電池ケース内に並べて配置してある場合のように、狭い箇所に被保持部材を複数並べて保持部材に保持させている場合には、隣接する被保持部材同士の間に隙間が殆どないため、胴体部分を持って保持部材から取り外すことも難しい。
【０００７】
そこで本発明は、以上のような問題に鑑みて、被保持部材を保持部材に保持させるにあたり、被保持部材の保持部材に対する着脱を容易に行うことができ、しかも被保持部材を保持部材にしっかりと保持させることができる保持構造を提供することを目的としている。
【０００８】
【課題を解決するための手段】
すなわち、本発明の被保持部材の保持構造は、端面がその中央部に中心を有する形状をなし且つ中空又は中実な被保持部材を、被保持部材の端面に対応する位置に配置された保持部材によって保持する構造であって、被保持部材の少なくとも一つの端面とこの端面に対応する保持部材の対向面との間に被保持部材を保持部材に着脱可能に保持させる係合部を形成し、この係合部を、被保持部材の端面の中心から偏位する位置に形成した凹部又は突部と、この凹部又は突部と係り合わせるべく保持部材の対向面に形成した突部又は凹部とから構成してなることを特徴とするものである。
【０００９】
このような構成の保持構造であれば、被保持部材の端面の中心から外れた位置に設けた凹部又は突部を、保持部材の対向面に形成した突部又は凹部と係り合わせるため、被保持部材をその端面の過半部を露出させた姿勢で保持部材に保持させることができることになる。そのため、被保持部材の端面の露出部分を、保持部材からの取り外し時に指を掛ける領域とすることができるため、被保持部材の取り外しを容易に行うことができる。このことは、複数の被保持部材を隣接させて保持部材に保持させるような場合に、被保持部材の胴体部分を指で挟みにくいとしても、被保持部材の容易な取り外しが可能であることを意味する。また逆に、被保持部材を保持部材に保持させる際には、被保持部材を保持部材に深く配置しなくても済むので、その作業も簡単に行うことができる。
【００１０】
斯かる保持構造において、被保持部材の規格が定まっている場合にはその端面に突部を形成し難いが、被保持部材の端面に凹部を形成し、保持部材の対向面に突部を形成すれば、このような不具合を防止し、被保持部材の着脱を容易なものとすることができる。
【００１１】
特に被保持部材の保持部材に対する取付姿勢を意識せずに、任意の姿勢で被保持部材を保持部材に保持させられるようにするためには、被保持部材の端面の凹部を環状をなすものとし、保持部材の対向面の突部を被保持部材の端面に向かって突出し前記環状をなす凹部内に挿入される小突起状をなすものとすることが好ましい。具体的に好ましい凹部の形状としては、被保持部材の外縁形状と略相似する環状をなすものが挙げられる。このようにすることで、被保持部材の端面を見ればいずれの姿勢で被保持部材を保持部材に装着すればよいかを簡単に把握することができる。また凹部を、被保持部材の端面の中心を中心とする円環形状をなすものとすれば、被保持部材をその端面と直交する方向を軸に回転させたいずれの姿勢であっても被保持部材の保持部材への装着が可能であり、なお且つ被保持部材の端面の過半部を保持部材から確実に露出させて、被保持部材の着脱の容易性を極めて高いものとすることができる。
【００１２】
以上のように、被保持部材の端面に環状をなす凹部を形成したものの他には、被保持部材の端面に複数の凹部を間欠的に形成し、保持部材に形成した突部を複数の凹部のうち何れかを選択して係り合わせるように構成することもできる。
【００１３】
また、被保持部材の着脱の容易性を向上するためには、保持部材を、保持部材の着脱方向と略直交する方向に弾性変形可能なものとすればよい。
【００１４】
以上のような保持構造を適用するのに適した被保持部材は、中空又は忠実な棒状をなしその延出方向における両端部に相互に反対方向を向く一対の端面を有するものであり、それに対応する保持部材は、被保持部材の端面に対応して一対の保持部材を配置し、被保持部材の一対の端面に同一構成の前記凹部を形成するとともに、各保持部材の前記対向面にそれぞれ突部を形成したものである。
【００１５】
さらに、以上に述べた保持構造は、保持部材を、被保持部材を収容し得る収容部を具備する収容部材における当該収容部の内部に形成した場合に極めて有用である。すなわち、このようにすることで、収容部の内容積が比較的狭く、従来の如き保持構造であれば収容部材に被保持部材を収容して保持部材に一旦保持させると、その後の被保持部材の取り出しが極めて困難であった不具合を、好適に解消できることになる。
【００１６】
【発明の実施の形態】
以下、本発明の一実施形態を、図面を参照して説明する。
【００１７】
図１に示すボード用イレーサは、ホワイトボードの拭き取り具として使用されるもので、本発明である被保持部材の保持構造Ｘの一実施形態を適用したものである。このボード用イレーサは、バックアップ部材として機能する下ケース１、ホールド部材として機能する中蓋たる中ケース２、上蓋たる上ケース３、張地４を具備し、組み付け状態で下ケース１と中ケース２の間に張地４を張設する構造のものである。そして、中ケース２には、図２、図３（ｂ）、図４（ｂ）（ｄ）及び図５（ｂ）（ｄ）に示すように、ボードに書き込むためのマーカーのインクの替え芯５１ｋ（図６参照）を収容しておくインクケース５１、同マーカペンの替えのペン先６１、及び張地４の替え７１を収容しておく構成を有している。すなわちこのボード用イレーサにおいては、インクケース５１が被保持部材に該当し、中ケース２が保持部材に該当する。以下、ボード用イレーサの各部の構成とともに本実施形態に係る保持構造Ｘの構成について説明する。
【００１８】
ボード用イレーサは、少なくとも下ケース１のバックアップ面１ａに巻き掛けて、当該バックアップ面１ａにバックアップされる拭き取り部分にテンションを加えながらその余長部分を下ケース１と中ケース２の間に挟み込むとともに、挟み込む位置を変更することによって、張地４の余長部分４ｙであった部位を拭き取り部分４ｘとして新たに繰り出すことができるように構成している。
【００１９】
具体的に説明すると、下ケース１は、図１、図２、図３（ｃ）、図４（ｃ）、図５（ｃ）に示すように、幅方向に位置する一対の側縁１１ａ及び長手方向に位置する一対の端縁１１ｂを有し側縁１１ａの中央部に括れ部１１ａｘを形成するとともにその括れ部１１ａｘから長手方向へ変位した２箇所（正確には長手方向中央から端縁までの領域の中央部）に外側に向かって膨出する膨出部１１ａｙを形成した底壁１１と、この底壁１１の前記一対の側縁１１ａより起立し前記底壁１１の括れ部１１ａｘ及び膨出部１１ａｙの対応位置にそれぞれ括れ部１２ｘ及び膨出部１２ｙを形成した側壁１２と、前記一対の端縁１１ｂより起立し外面の上縁付近に薄肉部１３ａを設けてその一部に係合孔１３ｂを形成した端壁１３とを具備し、上方に開口した箱状をなす。この下ケース１の底壁１１には、幅方向中央を通る中心線上にあって長手方向の中央から変位した２箇所に有底円形状の穴１１ｃが設けてあり、この穴１１ｃにマグネット１１ｄを装着している。このマグネット１１ｄを装着する底壁１１の穴１１ｃには、下ケース１の内側空間に開口する小径孔１１ｃ１が開口させてある。これは分別廃棄時に図４矢印ｆ１で示す方向に先端の尖った工具で突いてマグネット１１ｄを取り外すためのものである。
【００２０】
保持部材たる中ケース２は、図１、図２、図３（ｂ）、図４（ｂ）、図５（ｂ）に示すように、前記下ケース１の底壁１１よりも若干小さい概略相似形状をなしその側縁２１ａにおける前記下ケース１の括れ部１１ａｘ及び膨出部１１ａｙの対応位置にそれぞれ括れ部２１ａｘ及び膨出部２１ａｙを有した底壁２１と、この底壁２１の一対の側縁２１ａより起立して前記下ケース１の側壁１２の内面に対向する位置に配置可能であって当該下ケース１の側壁１２の括れ部１２ｘ及び膨出部１２ｙの対応位置にそれぞれ括れ部２２ｘ及び膨出部２２ｙを有した側壁２２と、前記底壁２１の一対の端縁２１ｂより起立して前記下ケース１の端壁１３の内面に配置可能な端壁２３とを具備し、上方に開口した箱状をなす。前記側壁２２の上縁には、外側に向かって鍔部２４が突出して設けてある。この鍔部２４も外縁に上記と対応する括れ部２４ｘ及び膨出部２４ｙを有している。そして、この中ケース２の開口内において、長手方向の片半部に第１の収納部５及び第２の収納部６が、また他半部に第３の収納部７がそれぞれ形成してある。
【００２１】
第１の収納部５は、図３（ｂ）、図４（ｂ）、図５（ｂ）、図６に示すように、長手方向中央付近において底壁２１より起立させた起立片２５と長手方向端縁付近において底壁２１より起立させた起立片２６との間に円筒状のインクケース５１を着脱可能に装着可能としたものである。これら起立片２５、２６には対向面側に突部として突起２５ａ、２６ａが形成してある。なお、起立片２５、２６は、底壁２１から薄肉板状に起立させたものであるので、その厚み方向に若干弾性変形することが可能である。これに対して被保持部材たるインクケース５１は、相互に係り合って着脱可能な中空の２パーツからなる概略円筒状をなす部材であり、その内部にマーカーのインクの替え芯５１ｋ（図６に想像線で示す）を収容している。インクケース５１の側面視円形状をなす両端面には、その中心回りに凹部として端面の外縁形状と相似形をなす円環溝５１ａが形成してある。そして、中ケース２の底壁２１に設けたリブ２７上にこのインクケース５１を載置した高さ位置で、円環溝５１ａの最も低い部分に突起２５ａ、２６ａが係り合うようになっている。すなわち、本実施形態では、これら突起２５ａ、２６ａと円環溝５１ａ、５１ａとによって、被保持部材たるインクケース５１を保持部材たる中ケース２に対して凹凸関係により着脱可能に保持する係合部Ｋを構成している。なお、図示したように、本実施形態では２本のインクケース５１を中ケース２内に横並びの姿勢で近接させて保持させるようにしている。
【００２２】
また、第２の収納部６は、前記第１の収納部５を形成する起立片２６よりも更に当該中ケース２の最寄の端壁２３側において底壁２１よりも嵩高い位置に設けた上向き面２８に形成した縦孔２８ａであり、この縦孔２８ａにマーカーのペン先６１を着脱可能に装着するようにしている。さらに、第３の収納部７は、前記起立片２５と、前記第２の収納部６側の端壁２３とは反対側の端壁２３と、一対の側壁２２とにより包囲させて形成した空間に設定したもので、この部位に張地４の替え７１を収納しておくようにしている。
【００２３】
上ケース３は、図１、図２、図３（ａ）、図４（ａ）、図５（ａ）に示すように、前記下ケース１の底壁１１よりも若干大きい概略相似形状をなしその側縁３１ａにおける前記下ケース１の括れ部１１ａｘ及び膨出部１１ａｙの対応位置にそれぞれ括れ部３１ａｘ及び膨出部３１ａｙを有した頂壁３１と、この頂壁３の一対の側縁３１より垂下して前記下ケース１の側壁１２の外面に対向する位置に配置可能であり当該下ケース１の側壁１２の括れ部１２ｘ及び膨出部１２ｙの対応位置にそれぞれ括れ部３２ｘ及び膨出部３２ｙを有した側壁３２と、前記頂壁３１の一対の端縁３１ｂより垂下して前記下ケース１の端壁１３の外面に配置可能であり所定組み付け状態で前記下ケース１の端壁１３に設けた係合孔１３ｂの対応位置に係合爪３３ｂを有した端壁３３ｂとを具備し、下方に開口した箱状をなす。この上ケース３の頂壁３１は、長手方向中央付近の一定領域３ｍが下ケース１の底壁１１に平行をなすとともに、この領域３ｍから端縁３１ｂに向かう両側の領域３ｎの一部が暫時下ケース１の底壁１１に近づく方向に傾斜している。この上ケース３の頂壁３１の下面には、組み付けた状態で中ケース２を下ケース１に向かって押し付けるためのリブ３１ｓが下向きに突出して設けてあり、また頂壁３１の端縁３１ｂ付近から端壁３３にわたる部位には、垂下するにつれて端壁３２の内面から遠ざかる方向に傾斜するテーパ面３１ｔ１を有するリブ３１ｔ（図４（ａ）参照）が下向きに突出して設けてある。このリブ３１ｔと端壁３３との間に形成される楔状の隙間は、所定組み付け状態で下ケース１の端壁１３の薄肉部１３ａから上の部分（特に係合爪１３ｂ部分）を受け入れる寸法関係にある。また、この上ケース３の一対の側壁３２のうち、前記括れ部３２ｘのあたりには、下向き山形状に垂下する垂下部３２ｚが形成してある。
【００２４】
そして、下ケース１の開口内に上方から中ケース２を落とし込んで装着し、この中ケース２を内有した状態で上ケース３を下ケース１の外側に一部被せることによって、ボード用イレーサの組み付けを完了するようにしている。具体的には、図４（ｄ）、図５（ｄ）に示す所定組み付け状態で、下ケース１の底壁１１に中ケース２の底壁２１が当接ないし近接するとともに下ケース１の側壁１２の上縁に中ケース２の側壁２２の上縁に設けた鍔部２４が当接し、上ケース３の頂壁３１の下面に設けたリブ３１ｓが中ケース２の鍔部２４の上面に当接するとともに下ケース１の端壁１３の上縁近傍に設けた係合孔１３ｂに上ケース３の端壁３３の対応位置に設けた係合爪３３ｂが係り合うようにしている。なお、この状態において、前記上ケース３には、下ケース１の端壁１３の薄肉部１３ａを表出させるための切欠３３ａがその端壁３３に設けてある。
【００２５】
張地４は、布部材を筒状をなすように周回させてその縁部同士を縫い合わせたもので、中ケース２の外周囲（底壁２１、側壁２２及び鍔部２４）を周回する位置に長手方向から着脱可能に外装して取り付けることができるようにしている。取り付け状態で、張地４は中ケース２の開口内においてその余長部分４ｙが十分に弛んだ状態となる寸法に少なくとも設定している。そして、上述した下ケース１、中ケース２及び上ケース３の組み付けを、この張地４を中ケース２に取り付けた状態で行なうことによって、中ケース２を下ケース１の開口に落とし込む際に張地４の余長部分４ｙを中ケース２の底壁２１や側壁２２等により押し込んで下ケース１の底壁１１の下面側に位置する張地４の拭き取り部分４ｘの両側が上方に引っ張られる方向に当該張地４を引きずり、これにより張地４のうち下ケース１の底壁１１の下面に位置して拭き取り部分４ｘとなる部位にテンションを加えつつ、最終的に張地４の余長部分を中ケース２の鍔部２４と下ケース１の側壁１２の上縁との間、或いは中ケース２の底壁２１の下面と下ケース１の底壁１１の上面との間に挟み込むようにしている。前記張地４は、この状態でほぼ全周に亘って同一テンションが加わった状態になると考えられるが、張地４の周回寸法は実際にはこのときのテンションが適切となる値に設定される。そして、その挟み込む位置を変更することによって、張地４の余長部分４ｙであった中ケース２の開口内に位置する部位等を、新たに拭き取り部分４ｘとして下ケース１の底壁１１の下面側に繰り出すことができるようにしている。すなわち、抜き取り部分４ｘが汚れた際には、上ケース３を下ケース１から外し、中ケース２を取り出して、張地４を周方向に移動させ、汚れた部位を中ケース２の開口内に移動させ未使用の部位を新たに拭き取り部分４ｘとして下ケース１の底壁１１のバックアップ面１ａ側に繰り出して、再び中ケース２を下ケース１に装着し、上ケース３を下ケース１に取り付けることによって、継続使用が可能となるものである。
【００２６】
このように、ボード用イレーサに適用した本実施形態の保持構造Ｘは、被保持部材たるインクケース５１を保持部材たる中ケース２に対して着脱可能に保持させるものであり、そのための構成として、インクケース５１の両端面に形成した凹部たる円環溝５１ａと、中ケース２の起立片２５、２６に形成した突部たる突起２５ａ、２６ａとから凹凸関係によりこれらを係り合わせる係合部Ｋを形成している。したがって、各突起２５ａ、２６ａは、インクケース５１の円環溝５１ａの最も低い位置、すなわちインクケース５１の両端面の中心よりも下方位置において円環溝５１ａに嵌り込むため、中ケース２に保持されたインクケース５１は、その両端面のうち上方から過半部を開放させた状態となっている。したがって、インクケース５１を中ケース２から取り出す際には、この露出している端面の過半部に指を掛けて引き出せばよい。特に本実施形態では、インクケース５１を２つ並べて配置していることから、第１の収納部５内においてインクケース５１、５１同士の間や各インクケース５１と中ケース２の側壁２２との間には極めて小さい隙間しか存在しないため、インクケース５１の胴体部分を指で摘んで引き出すことは難しいが、上述のように端面の露出部分を指で挟んでインクケース５１を引き出すことができるので、着脱の操作性が損なわれることがない。
【００２７】
また、特にインクケース５１の端面に形成した凹部は、その端面の中心を中心とした円環溝５１ａであるため、インクケース５１を軸方向に回転させた何れの姿勢としても、正しく中ケース２に装着することができる。また、インクケース５１の両端面には同一構成の円環溝５１ａを形成している一方、インクケース５１の両端面にそれぞれ対向する中ケース２の起立片２５、２６の各対向面に同一構成の突起２５ａ、２６ａを形成しているので、インクケース５１の両端部を逆にした姿勢であっても中ケース２に正しく装着することができる。さらに、中ケース２の起立片２５、２６は、インクケース５１の着脱方向と略直交する方向、すなわち係合部Ｘにおける円環溝５１ａと突起２６ａとの係合方向に弾性変形することが可能となっているため、インクケース５１の着脱作業の容易性が極めて高いものである。
【００２８】
なお、本発明は上述した実施形態に限られるものではない。例えばインクケースに形成した凹部は、端面の中心から偏位した位置に形成したものであれば、円環状をなすもの以外に、四角形や三角形等の多角形状としたり、一つの小さな窪みとしたり、このような窪みを点在させたり間欠的に設けたりすることもできる。また、インクケースに突部を形成して中ケースに凹部を形成するというように、係合部における突部と凹部との位置関係を逆にすることも可能である。さらに係合部をインクケースの両端面側ではなく、一方の端面側にのみ形成することもできる。
【００２９】
そして、本発明において被保持部材としては、端面に中心を有するような部材であれば、電池、工具、ペン、ドリルやドライバのビットケース、懐中電灯等、様々な部材を適用することができ、これに対して保持部材としても、電池ケース、工具箱、懐中電灯ホルダ等の種々の部材を適用することができる。
【００３０】
その他、各部の具体的構成についても上記実施形態に限られるものではなく、本発明の趣旨を逸脱しない範囲で種々変形が可能である。
【００３１】
【発明の効果】
以上に詳述したように、本発明の保持構造は、被保持部材の端面を保持部材に保持させるに際して、被保持部材をその端面の大半を保持部材から露出させた態様で保持させることができるようにするために、被保持部材の端面の中心から偏位した位置と保持部材の対向面とを凹凸係合させるように構成している。そのため、保持部材から被保持部材を取り出す際には、被保持部材の端面の過半部を湿る保持部材によって覆われていない部分に指を掛けて引き出せばよいので、被保持部材の取り外しを極めて容易に行うことができるようになる。また端面と同時に被保持部材の胴体部分の過半部も露出していれば、その胴体部分を指で挟めば保持部材からの取り外しが容易となるが、仮に複数の被保持部材を隣接させて配置しているような場合であっても、上述のように少なくとも端面の過半部は保持部材に覆われていないので、被保持部材を取り外しにくくなるようなことがない。さらに、被保持部材は保持部材に対して浅く保持させることが可能であるので、このような被保持部材の保持部材からの取り外しのみならず保持部材への取り付けも容易に行うことが可能である。
【図面の簡単な説明】
【図１】本発明の一実施形態を適用したボード用イレーサを示す全体斜視図。
【図２】同ボード用イレーサの構成部品を示す分解斜視図。
【図３】同平面図。
【図４】同側断面図。
【図５】同横断面図。
【図６】同実施形態の要部を示す側断面図。
【符号の説明】
Ｋ…係合部
Ｘ…保持構造
２…保持部材（中ケース）
２５ａ、２６ａ…突部（突起）
５１…被保持部材（インクケース）
５１ａ…凹部（円環溝）
【図１】
2004268304.tif 000003
【図２】
2004268304.tif 000004
【図３】
2004268304.tif 000005
【図４】
2004268304.tif 000006
【図５】
2004268304.tif 000007
【図６】
2004268304.tif 000008